(57)【要約】【課題】  利用者に要求される操作を軽減して、車両の商品性を向上させることができる車両用盗難防止装置を提供する。【解決手段】  車両用盗難防止装置は、無警戒な状態の時に車両に備えられた全てのドアが閉状態となりドアロックが施錠され、更にスマートエントリを可能にするスマート携帯機４が車室内に存在しないと判断した場合は、車両に対する盗難行為の監視を開始し、スマート携帯機４が車室内に存在すると判断した場合は、車両に対する盗難行為の監視を禁止する。また、車両に対する盗難行為の監視中に、正当な方法により車両外部からドアロックが解錠された場合は無警戒な状態に戻る。一方、車両に対する盗難行為の監視中に、車両に対する盗難行為の発生を検出した場合は、警報出力（アラーム）を開始し、正当な方法により車両外部からドアロックが解錠されるまで、あるいは所定時間が経過するまで警報出力（アラーム）を継続する。【選択図】  図１
2005350990.tif 000002
【特許請求の範囲】
【請求項１】
車両に備えられた全てのドアが閉状態で、かつ前記ドアのそれぞれに備わるドアロック装置が施錠状態にあるときに、盗難行為を検出して警報を行う盗難防止手段と、
所定領域にリクエスト信号を送信し、該リクエスト信号に対する応答として受信された電子キーからの応答信号に含まれる認証コードが、予め前記車両に備わる車両側認証コードと適合する場合には、車載機器を作動制御する制御手段と
を備え、
前記制御手段が、前記ドアの全てが閉状態となった時に、前記車両の車室内に前記電子キーの残存を確認するためのリクエスト信号を送信し、該リクエスト信号の応答信号に含まれる前記認証コードと前記車両側認証コードとが適合した場合には、前記盗難防止手段の作動制御を禁止する
ことを特徴とする車両用盗難防止装置。
【請求項２】
前記車載機器には、前記ドアロック装置が含まれる
ことを特徴とする請求項１に記載の車両用盗難防止装置。
【発明の詳細な説明】
【技術分野】
【０００１】
本発明は、車両に搭載され該車両の盗難を防止する車両用盗難防止装置に関する。
【背景技術】
【０００２】
従来、車両に備えられた全てのドアが閉状態で、かつ各ドアに備わるドアロック装置が施錠状態にあるときを警戒状態とし、このときに車両のイグニションスイッチがＯＮになったり、ドアロック装置が解錠されずに車両に備えられたいずれかのドアが開けられたような場合には、警報機能が作動して警報信号を発生し、車両の盗難を防止する車両用盗難防止装置がある（例えば、特許文献１参照。）。
【０００３】
また、車両用盗難防止装置を備えると共に、例えば車両利用者が携帯する携帯用操作器と車両側に配置された車両側ドア制御機構とを用い、安全性を保った状態で、ドアロック装置の施錠または解錠操作を行うことができるキーレスエントリ装置がある。具体的には、車両のドアがロックされ車両に設置の車両側制御機構の盗難防止部がセット状態になっているとき、車両利用者が携帯用操作器を携帯して車両に近接すると、車両側制御機構の制御部が盗難防止部の作動を一定時間停止し、その間に車両利用者が車両に接触したような場合にはドアをロック状態からアンロック状態に変更する。従って、車両のドアがロックされており車両に携帯用操作器が近接していない状態では盗難防止部により車両の盗難を監視し、一方、車両利用者は携帯用操作器を車両に近接させるだけで車両のドアをアンロック状態にすることが可能になる（例えば、特許文献２参照。）。
【０００４】
なお、車両の異常を検出する場合には、警戒状態の時に車両のイグニションスイッチがＯＮになったり、ドアロック装置が解錠されずに車両に備えられたいずれかのドアが開けられたような事象の他に、特許文献２にあるように、例えば、接触（容量）センサや、ガラスセンサ、振動センサ等を具備して、音や振動等から車両を盗もうとする者の行動を検知する。
【特許文献１】特開昭６０−５００５０号公報
【特許文献２】特開平１１−１３３２０号公報
【発明の開示】
【発明が解決しようとする課題】
【０００５】
ところで、従来の車両用盗難防止装置では、例えば車両の利用者が、車室内（車両内）に人を残したままドアロック装置を施錠して車両を離れようとする場合は、例えば車室内に残された人が誤って車両のイグニションスイッチをＯＮにしたり、車室内で音や振動を発生しても警報機能が作動しないように、別途設けられたスイッチや装置の制御内容のカスタマイズ機能を利用することにより、利用者自らが警報機能を無効とする操作を行わなければならず、利用者の利便性が損なわれて、車両の商品性が悪化するという問題があった。
【０００６】
本発明は、上記課題に鑑みてなされたもので、利用者に要求される操作を軽減して、車両の商品性を向上させることができる車両用盗難防止装置を提供することを目的とする。
【課題を解決するための手段】
【０００７】
上記課題を解決するために、請求項１の発明に係る車両用盗難防止装置は、車両に備えられた全てのドアが閉状態で、かつ前記ドアのそれぞれに備わるドアロック装置が施錠状態にあるときに、盗難行為を検出して警報を行う盗難防止手段（例えば後述する実施例の盗難防止警報装置６）と、所定領域にリクエスト信号を送信し、該リクエスト信号に対する応答として受信された電子キー（例えば後述する実施例のスマート携帯機４）からの応答信号に含まれる認証コードが、予め前記車両に備わる車両側認証コードと適合する場合には、車載機器を作動制御する制御手段（例えば後述する実施例のドアロック制御装置１）とを備え、前記制御手段が、前記ドアの全てが閉状態となった時に、前記車両の車室内に前記電子キーの残存を確認するためのリクエスト信号を送信し、該リクエスト信号の応答信号に含まれる前記認証コードと前記車両側認証コードとが適合した場合には、前記盗難防止手段の作動制御を禁止することを特徴とする。
【０００８】
以上の構成を備えた車両用盗難防止装置は、盗難防止手段が、車両の全てのドアが閉状態で、かつドアのそれぞれに備わるドアロック装置が施錠状態にあるときを警戒状態として、該車両に対する盗難行為を監視するので、ドアの全てが閉状態となった時に制御手段が車室内に送信した電子キーの残存を確認するためのリクエスト信号により、電子キーが車室内に存在することが確認できた場合には、該電子キーが所定領域内に存在する場合に車載機器を作動制御可能であるこの制御手段が、盗難防止手段の作動制御を禁止することにより、電子キーを車室内に残しておくだけで、別途設けられたスイッチや装置の制御内容のカスタマイズ機能を利用しなくても、盗難防止手段の機能を制御して盗難防止手段による警報信号の発生を抑制することができる。
【０００９】
請求項２の発明に係る車両用盗難防止装置は、請求項１に記載の車両用盗難防止装置において、前記車載機器には、前記ドアロック装置（例えば後述する実施例のドアロック）が含まれることを特徴とする。
【００１０】
以上の構成を備えた車両用盗難防止装置は、制御手段が車載機器としてドアロック装置を作動制御することにより、電子キーとドアロック装置とを、電子キーを所持しているだけでドアロック装置を施錠または解錠することができる、いわゆるスマートエントリ装置として利用することができる。
【発明の効果】
【００１１】
請求項１に記載の車両用盗難防止装置によれば、電子キーを車室内に残しておくだけで、別途設けられたスイッチや装置の制御内容のカスタマイズ機能を利用しなくても、盗難防止手段の機能を制御して盗難防止手段による警報信号の発生を抑制することができる。
従って、例えば車両の利用者が、車室内に人を残したままドアロック装置を施錠して車両を離れようとする場合でも、電子キーさえ車室内に残しておけば、別途設けられたスイッチや装置の制御内容のカスタマイズ機能を利用せずに警報機能を無効化することができ、利用者に要求される利用者自らが警報機能を無効とする操作を軽減して、利用者の利便性を確保すると共に、車両の商品性を向上させることができる車両用盗難防止装置を実現することができるという効果が得られる。
【００１２】
請求項２に記載の車両用盗難防止装置によれば、電子キーとドアロック装置とを、電子キーを所持しているだけでドアロック装置を施錠または解錠することができる、いわゆるスマートエントリ装置として利用することができる。
従って、本発明の車両用盗難防止装置とスマートエントリ装置とを共通の部品で構成することにより、車両のコストの上昇を抑えつつ、車両の商品性を向上させることができるという効果が得られる。
【発明を実施するための最良の形態】
【００１３】
以下、図面を参照して本発明の実施例について説明する。
【実施例】
【００１４】
（全体構成）
図１は、本発明の一実施例の車両用盗難防止装置の構成を示すブロック図である。本実施例の車両用盗難防止装置は、例えば車両に搭載されると共に、車両の全てのドアが閉状態で、かつドアのそれぞれに備わるドアロックが施錠状態にあるときを警戒状態として、該車両に対する盗難行為を監視する装置である。
【００１５】
図１において、符号１は、ドアロック制御装置であって、ドアロック制御装置１はＥＣＵ（Electronic Control Unit ）を備えて、主に車両のドアに備えられたドアロックの開閉制御を行う装置である。ドアロック制御装置１には、それぞれ車両のドアの開閉を検出するスイッチからの制御信号「ドア＿ＳＷ」、ドア内側のドアロックノブによるドアロックの開閉を検出するスイッチからの制御信号「ドアノブ＿ＳＷ」、ドア外側のＫＥＹシリンダによるドアロックの開閉検出するスイッチからの制御信号「ドアＫＥＹシリンダ＿ＳＷ」、車両のイグニッション用ＫＥＹシリンダによるイグニションのＯＮ／ＯＦＦを検出するスイッチからの制御信号「ＫＥＹ＿ＳＷ」が入力されている。
【００１６】
なお、制御信号「ドア＿ＳＷ」がＯＮ状態の場合は、車両のいずれかのドアが開状態である（開いている）ことを示す。また、制御信号「ドアノブ＿ＳＷ」がＯＮ状態の場合は、ドア内側のドアロックノブによりドアロックが施錠されたことを示す。また、制御信号「ドアＫＥＹシリンダ＿ＳＷ」がＯＮ状態の場合は、ドア外側のＫＥＹシリンダによりドアロックが施錠されたことを示す。更に、制御信号「ＫＥＹ＿ＳＷ」がＯＮ状態の場合は、車両のイグニッション用ＫＥＹシリンダによりイグニションがＯＮされたことを示す。
【００１７】
一方、本実施例のドアロック制御装置１には、スマートＥＣＵ２とキーレスＥＣＵ３とからそれぞれ制御信号が接続されており、いわゆるスマートエントリあるいはキーレスエントリが可能なように構成されている。具体的には、スマートＥＣＵ２はスマートエントリ機能を制御するためのＥＣＵであって、スマートＥＣＵ２には、スマート携帯機４と信号を送受信するためのアンテナ２ａを備えた送受信回路２ｂが接続されている。そして、スマートＥＣＵ２は、車両のイグニションがＯＦＦの時、アンテナ２ａから所定範囲内にスマート携帯機４が近づいた場合にはドアロックを解錠し、アンテナ２ａから所定範囲内にスマート携帯機４が存在しなくなった場合にはドアロックを施錠するように、ドアロック制御装置１に指示を行う。そして、ドアロック制御装置１からは、車両のドアに備えられた各ドアロックに接続された「ドアロック」信号により、ドアロックの開閉制御が指示される。
【００１８】
また、キーレスＥＣＵ３は、キーレスエントリ機能を制御するためのＥＣＵであって、キーレスＥＣＵ３には、キーレス携帯機５からの信号を受信するためのアンテナ３ａが接続されている。そして、キーレスＥＣＵ３は、車両のイグニションがＯＦＦの時、キーレス携帯機５からドアロックを解錠するための信号を受信した場合にはドアロックを解錠し、キーレス携帯機５からドアロックを施錠するための信号を受信した場合にはドアロックを施錠するように、ドアロック制御装置１に指示を行う。そして、スマートエントリと同様に、ドアロック制御装置１からは、車両のドアに備えられた各ドアロックに接続された「ドアロック」信号により、ドアロックの開閉制御が指示される。
【００１９】
なお、ドアロック制御装置１には、この他電源「＋Ｂ」と、車両のイグニションの作動状態を示す制御信号「ＩＧ１」が供給されている。また、スマートＥＣＵ２にも、電源「＋Ｂ」と、車両のイグニションの作動状態を示す信号「ＩＧ１」が供給されている。同様に、キーレスＥＣＵ３にも、電源「＋Ｂ」と、車両のイグニションの作動状態を示す信号「ＩＧ１」が供給されている。
【００２０】
また、盗難防止警報装置６は、例えば車両に設置された超音波センサや振動センサ等の盗難検知デバイスと、ドアロック制御装置１からの制御信号に基づいて、車両に対する盗難行為が発生した場合に警報機能を作動させて警報信号を出力する装置である。具体的には、車両の全てのドアが閉状態で、かつドアのそれぞれに備わるドアロックが施錠状態にあるときを警戒状態として、例えばこの状態の時に、車両のイグニションがＯＮになったり、ドアロックが解錠されずに車両に備えられたいずれかのドアが開けられたことをドアロック制御装置１から通知された場合、あるいは超音波センサや振動センサ等の盗難検知デバイスにより必要以上の音や振動を検出したような場合には、警報機能を作動させて、盗難防止警報装置６に接続されたスピーカ６ａや発光機器６ｂに警報信号を出力し、大きな音や強い光あるいは目立つ光を発することにより、車両の盗難を防止する。なお、盗難防止警報装置６には、ドアロック制御装置１から電源が供給される。
【００２１】
（制御状態遷移）
次に、図面を参照して本実施例の車両用盗難防止装置の制御における状態遷移について説明する。図２は、本実施例の車両用盗難防止装置の動作における状態遷移を示す図である。
図２において、車両用盗難防止装置の動作における制御状態には、Ａ：「Ｄｉｓａｒｍｉｎｇ状態」と、Ｂ：「準備状態」と、Ｃ：「ＳＥＴ状態」と、Ｄ：「警報状態」の４つの状態がある。ここで、Ａ：「Ｄｉｓａｒｍｉｎｇ状態」は、車両用盗難防止装置のイニシャライズ（初期化）を完了した直後等、車両に対する盗難行為を監視していない無警戒の状態である。
【００２２】
また、Ｂ：「準備状態」は、車両に対する盗難行為の監視を開始する必要があると判断してから実際に車両に対する盗難行為の監視を開始するまでの猶予時間の間の状態である。更に、Ｃ：「ＳＥＴ状態」は、ドアロック制御装置１及び盗難防止警報装置６により、車両に対する盗難行為の発生を監視している状態である。そして、Ｄ：「警報状態」は、ドアロック制御装置１及び盗難防止警報装置６により、車両に対する盗難行為の発生を検出した場合に、盗難防止警報装置６により警報出力している状態である。
【００２３】
また、車両用盗難防止装置は、以下に説明する入力をトリガにして、制御状態を図２に示すように遷移させる。
まず、車両用盗難防止装置のイニシャライズ（初期化）を完了してＡ：「Ｄｉｓａｒｍｉｎｇ状態」の時に、全てのドアが閉状態でドアロックが施錠され、更にスマート携帯機４が車室内（車両内）に存在しないと判断した場合は、制御状態をＡ：「Ｄｉｓａｒｍｉｎｇ状態」からＢ：「準備状態」へ遷移させる（状態遷移ＳＥ１）。一方、Ｂ：「準備状態」の間に車両のいずれかのドアが開いたり、ドア内側のドアロックノブによりドアロックが解錠されたような場合には、制御状態をＢ：「準備状態」からＡ：「Ｄｉｓａｒｍｉｎｇ状態」へ遷移させる（状態遷移ＳＥ２）。
【００２４】
また、Ｂ：「準備状態」において何もなく所定時間が経過した場合は、制御状態をＢ：「準備状態」からＣ：「ＳＥＴ状態」へ遷移させる（状態遷移ＳＥ３）。
また、Ｃ：「ＳＥＴ状態」において、正当な方法により車両外部からドアロックが解錠された場合は、車両の利用者が戻ってきたと判断し、制御状態をＣ：「ＳＥＴ状態」からＡ：「Ｄｉｓａｒｍｉｎｇ状態」へ遷移させる（状態遷移ＳＥ４）。
一方、Ｃ：「ＳＥＴ状態」において、車両に対する盗難行為の発生を検出した場合は、制御状態をＣ：「ＳＥＴ状態」からＤ：「警報状態」へ遷移させる（状態遷移ＳＥ５）。
【００２５】
そして、正当な方法により車両外部からドアロックが解錠されるまで、あるいは所定時間が経過するまでは警報出力（アラーム）を継続する（状態遷移ＳＥ６）。
また、Ｄ：「警報状態」において、警報出力（アラーム）を開始してから所定時間が経過した場合は、制御状態をＤ：「警報状態」からＣ：「ＳＥＴ状態」へ遷移させて車両に対する盗難行為の監視を継続する（状態遷移ＳＥ７）。
一方、Ｄ：「警報状態」において、正当な方法により車両外部からドアロックが解錠された場合は、車両の利用者が戻ってきたと判断し、制御状態をＤ：「警報状態」からＡ：「Ｄｉｓａｒｍｉｎｇ状態」へ遷移させて車両に対する盗難行為の監視を初期状態に戻す（状態遷移ＳＥ８）。
【００２６】
（車両用盗難防止装置の動作）
次に、本実施例の車両用盗難防止装置の動作について図面を参照して詳細に説明する。図３、図４、図５は、本実施例の車両用盗難防止装置の動作を示すフローチャートである。
図３において、まず装置全体のイニシャライズ（初期化）を行い、図２に示すＡ：「Ｄｉｓａｒｍｉｎｇ状態」とする（ステップＳ１）。
そして、ドアロック制御装置１は、例えばスマートエントリにより車両のイグニションがＯＮされ、制御信号「ＩＧ１」の状態から、車両のイグニションがＯＮの状態か否かを判定する（ステップＳ２）。
また、ステップＳ２において、車両のイグニションがＯＮの状態ではない場合（ステップＳ２のＮＯ）、ドアロック制御装置１は、次に制御信号「ＫＥＹ＿ＳＷ」の状態から、車両のイグニッション用ＫＥＹシリンダによりイグニションがＯＮされたか否かを判定する（ステップＳ３）。
【００２７】
もし、ステップＳ２において、車両のイグニションがＯＮの状態である場合（ステップＳ２のＹＥＳ）、あるいはステップＳ３において、車両のイグニッション用ＫＥＹシリンダによりイグニションがＯＮされた場合（ステップＳ３のＹＥＳ）のいずれかの場合、ドアロック制御装置１は、ステップＳ２へ戻り、図２に示すＡ：「Ｄｉｓａｒｍｉｎｇ状態」として制御信号「ＩＧ１」の状態を監視する。
【００２８】
一方、ステップＳ３において、車両のイグニッション用ＫＥＹシリンダによりイグニションがＯＮされていない場合（ステップＳ３のＮＯ）、ドアロック制御装置１は、制御信号「ドア＿ＳＷ」の状態から、車両のいずれかのドアが開状態から閉状態に変化したか否かを判定する（ステップＳ４）。
もし、ステップＳ４において、車両のいずれかのドアが開状態から閉状態に変化していない場合（ステップＳ４のＮＯ）、ドアロック制御装置１は、制御信号「ドア＿ＳＷ」の状態から、車両の全てのドアが閉状態か否かを判定する（ステップＳ５）。
そして、ステップＳ５において、車両の全てのドアが閉状態ではない（いずれかのドアが開状態である）場合（ステップＳ５のＮＯ）、ドアロック制御装置１は、ステップＳ２へ戻り、図２に示すＡ：「Ｄｉｓａｒｍｉｎｇ状態」として制御信号「ＩＧ１」の状態を監視する。
【００２９】
また、ステップＳ４において、車両のいずれかのドアが開状態から閉状態に変化した場合（ステップＳ４のＹＥＳ）、ドアロック制御装置１は、車室内にスマート携帯機４が存在するか否かを確認するために、車室内においてスマート携帯機４に対する通信（車内通信）を実行する（ステップＳ６）。
次に、制御信号「ドアノブ＿ＳＷ」の状態から、ドア内側のドアロックノブによりドアロックが施錠されたか否かを判定する（ステップＳ７）。
また、ステップＳ７において、ドア内側のドアロックノブによりドアロックが施錠されていない場合（ステップＳ７のＮＯ）、ドアロック制御装置１は、ステップＳ５へ進み、車両の全てのドアが閉状態か否かを判定する（ステップＳ５）。
【００３０】
そして、ステップＳ５において、車両の全てのドアが閉状態である場合（ステップＳ５のＹＥＳ）、ドアロック制御装置１は、制御信号「ドアＫＥＹシリンダ＿ＳＷ」の状態から、ドア外側のＫＥＹシリンダによりドアロックが施錠されたか否かを判定する（ステップＳ８）。
また、ステップＳ８において、ドア外側のＫＥＹシリンダによりドアロックが施錠されていない場合（ステップＳ８のＮＯ）、ドアロック制御装置１は、キーレスＥＣＵ３から、ドアロックの施錠を指示するキーレスロック信号が入力されたか否かを判定する（ステップＳ９）。
【００３１】
また、ステップＳ９において、キーレスＥＣＵ３からキーレスロック信号が入力されていない場合（ステップＳ９のＮＯ）、ドアロック制御装置１は、スマートＥＣＵ２から、ドアロックの施錠を指示するスマートロック信号が入力されたか否かを判定する（ステップＳ１０）。
そして、ステップＳ１０において、スマートＥＣＵ２からスマートロック信号が入力されていない場合（ステップＳ１０のＮＯ）、ドアロック制御装置１は、ステップＳ２へ戻り、図２に示すＡ：「Ｄｉｓａｒｍｉｎｇ状態」として制御信号「ＩＧ１」の状態を監視する。
【００３２】
一方、ステップＳ７において、ドア内側のドアロックノブによりドアロックが施錠された場合（ステップＳ７のＹＥＳ）、あるいはステップＳ８において、ドア外側のＫＥＹシリンダによりドアロックが施錠された場合（ステップＳ８のＹＥＳ）、あるいはステップＳ９において、キーレスＥＣＵ３からキーレスロック信号が入力された場合（ステップＳ９のＹＥＳ）、あるいはステップＳ１０において、スマートＥＣＵ２からスマートロック信号が入力された場合（ステップＳ１０のＹＥＳ）のいずれかの場合、図４のステップＳ１１へ進み、ドアロック制御装置１は、車室内にスマート携帯機４が存在するか否かを判定する（ステップＳ１１）。
【００３３】
もし、ステップＳ１１において、車室内にスマート携帯機４が存在する場合（ステップＳ１１のＹＥＳ）、ドアロック制御装置１は、ステップＳ２へ戻り、図２に示すＡ：「Ｄｉｓａｒｍｉｎｇ状態」として制御信号「ＩＧ１」の状態を監視する。
また、ステップＳ１１において、車室内にスマート携帯機４が存在しない場合（ステップＳ１１のＮＯ）、ドアロック制御装置１及び盗難防止警報装置６は、車室内から全ての人が退出した結果、車両に対する盗難行為の監視を開始する必要があると判断し、車両に対する盗難行為を監視するために、図２に示すＢ：「準備状態」に移行する（ステップＳ１２）。
そして、車両に対する盗難行為の監視を開始するまでの猶予時間を測定するタイマをスタートさせる（ステップＳ１３）。
【００３４】
また、タイマをスタートさせたら、ドアロック制御装置１は、制御信号「ドア＿ＳＷ」の状態から、車両のいずれかのドアが開状態となったか否かを判定する（ステップＳ１４）。
また、ステップＳ１４において、車両のいずれかのドアが開状態とならなければ（ステップＳ１４のＮＯ）、ドアロック制御装置１は、制御信号「ドアノブ＿ＳＷ」の状態から、ドア内側のドアロックノブによりドアロックが解錠されたか否かを判定する（ステップＳ１５）。
【００３５】
そして、ステップＳ１５において、ドア内側のドアロックノブによりドアロックが解錠されていなければ（ステップＳ１５のＮＯ）、車両に対する盗難行為の監視を開始するまでの猶予時間を測定するタイマがタイムアップしたか否かを判定し（ステップＳ１６）、まだタイムアップしていない場合（ステップＳ１６のＮＯ）、ドアロック制御装置１は、ステップＳ１４へ戻り、制御信号「ドア＿ＳＷ」の状態から、車両のドアの状態を監視する（ステップＳ１４）。
【００３６】
一方、ステップＳ１４において、車両のいずれかのドアが開状態となった場合（ステップＳ１４のＹＥＳ）、あるいはステップＳ１５において、ドア内側のドアロックノブによりドアロックが解錠された場合（ステップＳ１５のＹＥＳ）のいずれかの場合、ドアロック制御装置１は、ステップＳ２へ戻り、図２に示すＡ：「Ｄｉｓａｒｍｉｎｇ状態」として制御信号「ＩＧ１」の状態を監視する。
【００３７】
また、ステップＳ１６において、車両に対する盗難行為の監視を開始するまでの猶予時間を測定するタイマがタイムアップした場合（ステップＳ１６のＹＥＳ）、ドアロック制御装置１及び盗難防止警報装置６は、車両に対する盗難行為を監視するために、図２に示すＢ：「準備状態」からＣ：「ＳＥＴ状態」へ移行する（ステップＳ１７）。
次に、ドアロック制御装置１は、キーレスＥＣＵ３から、ドアロックの解錠を指示するキーレスアンロック信号が入力されたか否かを判定する（ステップＳ１８）。
【００３８】
また、ステップＳ１８において、キーレスＥＣＵ３からキーレスアンロック信号が入力されていない場合（ステップＳ１８のＮＯ）、ドアロック制御装置１は、スマートＥＣＵ２から、ドアロックの解錠を指示するスマートアンロック信号が入力されたか否かを判定する（ステップＳ１９）。
そして、ステップＳ１９において、スマートＥＣＵ２からスマートアンロック信号が入力されていない場合（ステップＳ１９のＮＯ）、ドアロック制御装置１は、制御信号「ドアＫＥＹシリンダ＿ＳＷ」の状態から、ドア外側のＫＥＹシリンダによりドアロックが解錠されたか否かを判定する（ステップＳ２０）。
【００３９】
また、ステップＳ１８において、キーレスＥＣＵ３からキーレスアンロック信号が入力された場合（ステップＳ１８のＹＥＳ）、あるいはステップＳ１９において、スマートＥＣＵ２からスマートアンロック信号が入力された場合（ステップＳ１９のＹＥＳ）、あるいはステップＳ２０において、ドア外側のＫＥＹシリンダによりドアロックが解錠された場合（ステップＳ２０のＹＥＳ）のいずれかの場合、ドアロック制御装置１は、ステップＳ２へ戻り、図２に示すＡ：「Ｄｉｓａｒｍｉｎｇ状態」として制御信号「ＩＧ１」の状態を監視する。
【００４０】
一方、ステップＳ２０において、ドア外側のＫＥＹシリンダによりドアロックが解錠されていない場合（ステップＳ２０のＮＯ）、ドアロック制御装置１及び盗難防止警報装置６は、車両に異常が発生したか否かを監視する。
具体的には、図５のステップＳ２１へ進み、ドアロック制御装置１は、制御信号「ドア＿ＳＷ」の状態から、車両のいずれかのドアが開状態となったか否かを判定する（ステップＳ２１）。
また、ステップＳ２１において、車両のいずれかのドアが開状態とならなければ（ステップＳ２１のＮＯ）、ドアロック制御装置１は、制御信号「ドアノブ＿ＳＷ」の状態から、ドア内側のドアロックノブによりドアロックが解錠されたか否かを判定する（ステップＳ２２）。
【００４１】
そして、ステップＳ２２において、ドア内側のドアロックノブによりドアロックが解錠されなければ（ステップＳ２２のＮＯ）、ドアロック制御装置１は、制御信号「ＩＧ１」の状態から、車両のイグニションがＯＮの状態になったか否かを判定する（ステップＳ２３）。
また、ステップＳ２３において、車両のイグニションがＯＮの状態になっていない場合（ステップＳ２３のＮＯ）、盗難防止警報装置６は、例えば超音波センサや振動センサ等の盗難検知デバイスにより必要以上の音や振動を検出したか否かを判定する（ステップＳ２４）。
【００４２】
そして、ステップＳ２４において、盗難防止警報装置６が盗難検知デバイスにより必要以上の音や振動を検出していない場合（ステップＳ２４のＮＯ）、ステップＳ１７へ戻り、ドアロック制御装置１及び盗難防止警報装置６は、車両に対する盗難行為を監視する図２に示すＣ：「ＳＥＴ状態」のまま、車両の監視を継続する（ステップＳ１７）。
【００４３】
一方、ステップＳ２１において、車両のいずれかのドアが開状態となった場合（ステップＳ２１のＹＥＳ）、あるいはステップＳ２２において、ドア内側のドアロックノブによりドアロックが解錠された場合（ステップＳ２２のＹＥＳ）、あるいはステップＳ２３において、車両のイグニションがＯＮの状態になった場合のいずれかの場合、ドアロック制御装置１は、盗難防止警報装置６へこれらを通知して警報機能の作動を指示し、ドアロック制御装置１及び盗難防止警報装置６は、Ｃ：「ＳＥＴ状態」からＤ：「警報状態」へ移行して、盗難防止警報装置６は警報出力（アラーム）を開始する（ステップＳ２５）。
【００４４】
また、盗難防止警報装置６は、盗難検知デバイスにより必要以上の音や振動を検出した場合も（ステップＳ２４のＹＥＳ）、Ｃ：「ＳＥＴ状態」からＤ：「警報状態」へ移行して、警報出力（アラーム）を開始する（ステップＳ２５）。
そして、警報出力（アラーム）の継続時間を測定するタイマをスタートさせる（ステップＳ２６）。
また、タイマをスタートさせたら、ドアロック制御装置１は、キーレスＥＣＵ３から、ドアロックの解錠を指示するキーレスアンロック信号が入力されたか否かを判定する（ステップＳ２７）。
【００４５】
また、ステップＳ２７において、キーレスＥＣＵ３からキーレスアンロック信号が入力されていない場合（ステップＳ２７のＮＯ）、ドアロック制御装置１は、スマートＥＣＵ２から、ドアロックの解錠を指示するスマートアンロック信号が入力されたか否かを判定する（ステップＳ２８）。
そして、ステップＳ２８において、スマートＥＣＵ２からスマートアンロック信号が入力されていない場合（ステップＳ２８のＮＯ）、ドアロック制御装置１は、制御信号「ドアＫＥＹシリンダ＿ＳＷ」の状態から、ドア外側のＫＥＹシリンダによりドアロックが解錠されたか否かを判定する（ステップＳ２９）。
【００４６】
一方、ステップＳ２７において、キーレスＥＣＵ３からキーレスアンロック信号が入力された場合（ステップＳ２７のＹＥＳ）、あるいはステップＳ２８において、スマートＥＣＵ２からスマートアンロック信号が入力された場合（ステップＳ２８のＹＥＳ）、あるいはステップＳ２９において、ドア外側のＫＥＹシリンダによりドアロックが解錠された場合（ステップＳ２９のＹＥＳ）のいずれかの場合、盗難防止警報装置６は、警報出力（アラーム）を停止し（ステップＳ３０）、ドアロック制御装置１は、ステップＳ２へ戻り、図２に示すＡ：「Ｄｉｓａｒｍｉｎｇ状態」として制御信号「ＩＧ１」の状態を監視する。
【００４７】
また、ステップＳ２９において、ドア外側のＫＥＹシリンダによりドアロックが解錠されていない場合（ステップＳ２９のＮＯ）、警報出力（アラーム）の継続時間を測定するタイマがタイムアップしたか否かを判定し（ステップＳ３１）、まだタイムアップしていない場合（ステップＳ３１のＮＯ）、ドアロック制御装置１は、図２に示すＤ：「警報状態」のまま、ステップＳ２７へ戻り、キーレスＥＣＵ３からキーレスアンロック信号が入力されたか否かを監視する（ステップＳ２７）。
また、警報出力（アラーム）の継続時間を測定するタイマがタイムアップした場合（ステップＳ３１のＹＥＳ）、盗難防止警報装置６は、警報出力（アラーム）を停止し（ステップＳ３２）、ステップＳ１７へ戻り、ドアロック制御装置１及び盗難防止警報装置６は、車両に対する盗難行為を監視する図２に示すＣ：「ＳＥＴ状態」のまま、車両の監視を継続する（ステップＳ１７）。
【００４８】
なお、上述の実施例において、車両用盗難防止装置は、必ずしも盗難検知デバイスを必要とせず、ドアロック制御装置１からの信号のみに基づいて、車両に対する盗難行為を監視するようにしても良い。
【００４９】
以上説明したように、本実施例の車両用盗難防止装置は、イニシャライズ（初期化）を完了して無警戒な状態の時に、車両に備えられた全てのドアが閉状態となりドアロックが施錠され、更にスマートエントリを可能にするスマート携帯機４が車室内に存在しないと判断した場合は、車両に対する盗難行為の監視を開始する。一方、スマート携帯機４が車室内に存在すると判断した場合は、車両に対する盗難行為の監視を禁止する。また、車両に対する盗難行為の監視中に、正当な方法により車両外部からドアロックが解錠された場合は、車両の利用者が戻ってきたと判断し、無警戒な状態に戻る。一方、車両に対する盗難行為の監視中に、車両に対する盗難行為の発生を検出した場合は、警報出力（アラーム）を開始し、正当な方法により車両外部からドアロックが解錠されるまで、あるいは所定時間が経過するまで警報出力（アラーム）を継続する。
【００５０】
これにより、スマート携帯機４を車室内に残しておくだけで、別途設けられたスイッチや装置の制御内容のカスタマイズ機能を利用しなくても、車両用盗難防止装置の機能を制御して盗難防止警報装置６による警報信号の発生を抑制することができる。
従って、例えば車両の利用者が、車室内に人を残したままドアロックを施錠して車両を離れようとする場合でも、スマート携帯機４さえ車室内に残しておけば、別途設けられたスイッチや装置の制御内容のカスタマイズ機能を利用せずに警報機能を無効化することができ、利用者に要求される利用者自らが警報機能を無効とする操作を軽減して、利用者の利便性を確保すると共に、車両の商品性を向上させることができる車両用盗難防止装置を実現することができるという効果が得られる。
【００５１】
また、スマートエントリ機能に必要な装置を利用して車両用盗難防止装置を実現することで、車両用盗難防止装置とスマートエントリ装置とを共通の部品で構成することができ、車両のコストの上昇を抑えつつ、車両の商品性を向上させることができるという効果が得られる。
【図面の簡単な説明】
【００５２】
【図１】本発明の一実施例の車両用盗難防止装置の構成を示すブロック図である。
【図２】同実施例の車両用盗難防止装置の動作における状態遷移を示す図である。
【図３】同実施例の車両用盗難防止装置の動作を示すフローチャートである。
【図４】同実施例の車両用盗難防止装置の動作を示すフローチャートである。
【図５】同実施例の車両用盗難防止装置の動作を示すフローチャートである。
【符号の説明】
【００５３】
１    ドアロック制御装置（制御手段）
４    スマート携帯機（電子キー）
６    盗難防止警報装置（盗難防止手段）
【図１】
2005350990.tif 000003
【図２】
2005350990.tif 000004
【図３】
2005350990.tif 000005
【図４】
2005350990.tif 000006
【図５】
2005350990.tif 000007